(57)【特許請求の範囲】
【請求項１】
上端に胴部開口を有し、下部に一対の脚部開口を有するパンツタイプの使い捨ておむつであって、
着用者の前側を覆う前方部および後側を覆う後方部の間の中間部で折り曲げられ、前記前方部の両側端が、前記後方部の両側端にそれぞれ接合されることにより、前記前方部および前記後方部の上端に胴部開口が形成され、前記前方部および前記後方部の下側において前記中間部の両側方に一対の脚部開口が形成される外装シートと、
前記外装シート上に取り付けられて着用者からの排泄物を吸収する吸収体と、
前記中間部の両側端の縁に沿って伸張状態にて前記外装シート上に接合され、収縮することにより脚周りギャザーを形成する一対の脚周り弾性部材と、
前記中間部の前記前方部側または前記後方部側の部位において、前記両側端から前記吸収体側かつ前記上端側に向かうように前記外装シート上に伸張状態にて接合される一対の補助弾性部材と、
前記吸収体の両側方において、前記一対の補助弾性部材、前記一対の脚周り弾性部材および前記吸収体により囲まれる前記外装シートの内面の領域に一対のポケット部が形成され、前記一対のポケット部内に配置される一対の補助吸収部と、
を備えることを特徴とする使い捨ておむつ。
【請求項２】
請求項１に記載の使い捨ておむつであって、
前記一対の補助吸収部が、前記一対のポケット部に両端部が位置するとともに、中央部が前記吸収体と前記外装シートとの間に配置される１つの部材の前記両端部であることを特徴とする使い捨ておむつ。
【請求項３】
請求項１または２に記載の使い捨ておむつであって、
前記一対の補助弾性部材が、前記上端側に凸となるように湾曲して前記外装シート上に接合されることを特徴とする使い捨ておむつ。
【請求項４】
請求項１ないし３のいずれかに記載の使い捨ておむつであって、
前記一対の補助弾性部材の前記吸収体側の端部が、前記吸収体と重なることを特徴とする使い捨ておむつ。
【請求項５】
請求項１ないし４のいずれかに記載の使い捨ておむつであって、
前記一対の補助弾性部材と同様の他の一対の補助弾性部材と、
前記一対の補助吸収部と同様の他の一対の補助吸収部と、
をさらに備え、
前記吸収体の前記前方部側の部位の両側方に前記一対のポケット部が形成され、
前記吸収体の前記後方部側の部位の両側方に他の一対のポケット部が形成され、
前記他の一対の補助吸収部が前記他の一対のポケット部内に配置されることを特徴とする使い捨ておむつ。
【請求項６】
上端に胴部開口を有し、下部に一対の脚部開口を有するパンツタイプの使い捨ておむつであって、
着用者の前側を覆う前方部および後側を覆う後方部の間の中間部で折り曲げられ、前記前方部の両側端が、前記後方部の両側端にそれぞれ接合されることにより、前記前方部および前記後方部の上端に胴部開口が形成され、前記前方部および前記後方部の下側において前記中間部の両側方に一対の脚部開口が形成される外装シートと、
前記外装シート上に取り付けられて着用者からの排泄物を吸収する吸収体と、
前記中間部の両側端の縁に沿って伸張状態にて前記外装シート上に接合され、収縮することにより脚周りギャザーを形成する一対の脚周り弾性部材と、
前記中間部の前記前方部側または前記後方部側の部位において、前記両側端から前記吸収体側かつ前記上端側に向かうように前記外装シート上に伸張状態にて接合される一対の補助弾性部材と、
を備え、
前記一対の脚周り弾性部材が、
前記前方部側の部位である一対の前方弾性部と、
前記後方部側の部位である一対の後方弾性部と、
を備え、
前記中間部の両側部において、前記一対の前方弾性部と前記一対の後方弾性部との間に、脚周り弾性部材の不存在領域が設けられ、
前記一対の前方弾性部の前記前方部側の端が前記前方部の前記両側端に位置し、
前記一対の後方弾性部の前記後方部側の端が前記後方部の前記両側端に位置し、
前記吸収体の両側方において、前記一対の補助弾性部材、前記一対の補助弾性部材と近接または接する前記一対の前方弾性部または前記一対の後方弾性部、および、前記吸収体により囲まれる前記外装シートの内面の領域に一対のポケット部が形成されることを特徴とする使い捨ておむつ。
【請求項７】
請求項６に記載の使い捨ておむつであって、
前記一対の補助弾性部材が、前記上端側に凸となるように湾曲して前記外装シート上に接合されることを特徴とする使い捨ておむつ。
【発明の詳細な説明】
【技術分野】
【０００１】
本発明は、パンツタイプの使い捨ておむつに関する。
【背景技術】
【０００２】
従来より、着用者からの排泄物を受ける吸収性物品の１つとして、上端に胴部開口を有するとともに下部に一対の脚部開口を有するパンツタイプの使い捨ておむつが利用されている。このような使い捨ておむつでは、着用者の前側を覆う前方部と後側を覆う後方部とが中間部を介して連続する外装シートにおいて、前方部の両側端を後方部の両側端にそれぞれ接合することにより、胴部開口および一対の脚部開口が形成される。また、着用者からの排泄物を吸収する吸収体が、前方部から後方部に亘って外装シート上に取り付けられる。さらに、中間部の両側端の縁に沿って一対の脚周り弾性部材が外装シート上に接合され、脚周り弾性部材が収縮することにより脚周りギャザーが形成される。
【０００３】
特許文献１では、パンツタイプの使い捨ておむつの前身頃（前方部）において、両端部が前身頃の両側端に位置する弾性伸縮部材を、中央部が股下側に膨らみ、かつ、その中央部が吸収体の配設位置と交差するように配置することにより、吸収体を前身頃縁（胴部開口の縁）側に持ち上げて、腹側からの尿または便漏れを防止する手法が開示されている。また、特許文献２では、前身頃および後身頃のそれぞれにおいて、ウエスト開口部縁（胴部開口の縁）を始端とし、両側端の接合縁部を終端として配置された装着用第１弾性部材と、ウエスト開口部縁を始端とし、レッグ開口部縁（脚部開口の縁）を終端として配置された装着用第２弾性部材とを設けることにより、着用者がウエスト開口部を掴んで上方側におむつを引き上げる際に、装着用弾性部材の弾性力によっておむつを簡単に引き上げることが可能な使い捨ておむつが開示されている。
【０００４】
なお、特許文献３では、前方部と後方部とを腰回りで止着して装着するオープンタイプの使い捨ておむつにおいて、ウエスト部弾性部材と吸収体の端部との間に配置される胴部ギャザー形成用の複数の胴部弾性部材を、これらの長さ方向の略中央部において各胴部弾性部材間の間隔が最も狭くなるように、それぞれ湾曲して配置し、最も吸収体よりに設けられた胴部弾性部材の両端部を吸収体の側方に位置させたものが開示されている。
【先行技術文献】
【特許文献】
【０００５】
【特許文献１】特開平１０−１２７６８７号公報
【特許文献２】特開２００６−２６３３４６号公報
【特許文献３】特開平１０−１７９６３４号公報
【発明の概要】
【発明が解決しようとする課題】
【０００６】
ところで、排泄物を吸収体にて適切に吸収するには、吸収体が着用者の股間部に密着していることが好ましい。しかしながら、パンツタイプの使い捨ておむつの装着では、吸収体を着用者の股間部に密着させることは容易ではなく、排泄物が吸収体から漏出した場合、脚周りギャザーを設けていても、排泄物が脚周りから外部に漏出することがある。
【０００７】
本発明は上記課題に鑑みなされたものであり、排泄物が吸収体から漏出した場合でも、脚周りから外部に漏出することを防止することを目的としている。
【課題を解決するための手段】
【０００８】
請求項１に記載の発明は、上端に胴部開口を有し、下部に一対の脚部開口を有するパンツタイプの使い捨ておむつであって、着用者の前側を覆う前方部および後側を覆う後方部の間の中間部で折り曲げられ、前記前方部の両側端が、前記後方部の両側端にそれぞれ接合されることにより、前記前方部および前記後方部の上端に胴部開口が形成され、前記前方部および前記後方部の下側において前記中間部の両側方に一対の脚部開口が形成される外装シートと、前記外装シート上に取り付けられて着用者からの排泄物を吸収する吸収体と、前記中間部の両側端の縁に沿って伸張状態にて前記外装シート上に接合され、収縮することにより脚周りギャザーを形成する一対の脚周り弾性部材と、前記中間部の前記前方部側または前記後方部側の部位において、前記両側端から前記吸収体側かつ前記上端側に向かうように前記外装シート上に伸張状態にて接合される一対の補助弾性部材と、前記吸収体の両側方において、前記一対の補助弾性部材、前記一対の脚周り弾性部材および前記吸収体により囲まれる前記外装シートの内面の領域に一対のポケット部が形成され、前記一対のポケット部内に配置される一対の補助吸収部とを備える。
【０００９】
請求項２に記載の発明は、請求項１に記載の使い捨ておむつであって、前記一対の補助吸収部が、前記一対のポケット部に両端部が位置するとともに、中央部が前記吸収体と前記外装シートとの間に配置される１つの部材の前記両端部である。
【００１０】
請求項３に記載の発明は、請求項１または２に記載の使い捨ておむつであって、前記一対の補助弾性部材が、前記上端側に凸となるように湾曲して前記外装シート上に接合される。
【００１１】
請求項４に記載の発明は、請求項１ないし３のいずれかに記載の使い捨ておむつであって、前記一対の補助弾性部材の前記吸収体側の端部が、前記吸収体と重なる。
【００１２】
請求項５に記載の発明は、請求項１ないし４のいずれかに記載の使い捨ておむつであって、前記一対の補助弾性部材と同様の他の一対の補助弾性部材と、前記一対の補助吸収部と同様の他の一対の補助吸収部とをさらに備え、前記吸収体の前記前方部側の部位の両側方に前記一対のポケット部が形成され、前記吸収体の前記後方部側の部位の両側方に他の一対のポケット部が形成され、前記他の一対の補助吸収部が前記他の一対のポケット部内に配置される。
【００１３】
請求項６に記載の発明は、上端に胴部開口を有し、下部に一対の脚部開口を有するパンツタイプの使い捨ておむつであって、着用者の前側を覆う前方部および後側を覆う後方部の間の中間部で折り曲げられ、前記前方部の両側端が、前記後方部の両側端にそれぞれ接合されることにより、前記前方部および前記後方部の上端に胴部開口が形成され、前記前方部および前記後方部の下側において前記中間部の両側方に一対の脚部開口が形成される外装シートと、前記外装シート上に取り付けられて着用者からの排泄物を吸収する吸収体と、前記中間部の両側端の縁に沿って伸張状態にて前記外装シート上に接合され、収縮することにより脚周りギャザーを形成する一対の脚周り弾性部材と、前記中間部の前記前方部側または前記後方部側の部位において、前記両側端から前記吸収体側かつ前記上端側に向かうように前記外装シート上に伸張状態にて接合される一対の補助弾性部材とを備え、前記一対の脚周り弾性部材が、前記前方部側の部位である一対の前方弾性部と、前記後方部側の部位である一対の後方弾性部とを備え、前記中間部の両側部において、前記一対の前方弾性部と前記一対の後方弾性部との間に、脚周り弾性部材の不存在領域が設けられ、前記一対の前方弾性部の前記前方部側の端が前記前方部の前記両側端に位置し、前記一対の後方弾性部の前記後方部側の端が前記後方部の前記両側端に位置し、前記吸収体の両側方において、前記一対の補助弾性部材、前記一対の補助弾性部材と近接または接する前記一対の前方弾性部または前記一対の後方弾性部、および、前記吸収体により囲まれる前記外装シートの内面の領域に一対のポケット部が形成される。
【００１４】
請求項７に記載の発明は、請求項６に記載の使い捨ておむつであって、前記一対の補助弾性部材が、前記上端側に凸となるように湾曲して前記外装シート上に接合される。
【発明の効果】
【００１５】
本発明によれば、排泄物が吸収体から漏出した場合でも、脚周りから外部に漏出することを防止することができる。
【００１６】
また、請求項２の発明では、使い捨ておむつの部品点数を少なくすることができ、請求項３および７の発明では、大きなポケット部を形成することができ、請求項５の発明では、排泄物が脚周りから外部に漏出することをさらに防止することができる。
【００１７】
また、請求項６の発明では、ポケット部の配置を制限することにより、排泄物がポケット部にて捕捉された状態で、ポケット部の存在により着用者の歩行動作が過度に妨げられることを防止することができる。
【図面の簡単な説明】
【００１８】
【図１】使い捨ておむつの外観を示す斜視図である。
【図２】展開した状態の使い捨ておむつの平面図である。
【図３】使い捨ておむつの断面図である。
【図４】使い捨ておむつの他の例の平面図である。
【図５】使い捨ておむつのさらに他の例の平面図である。
【発明を実施するための形態】
【００１９】
図１は、本発明の一の実施の形態に係る使い捨ておむつ１の外観を示す斜視図である。図１に示すように、使い捨ておむつ１は、図１中の上側の端部である上端に胴部開口１１を有し、下部に一対の脚部開口１２を有するパンツタイプであり、着用者からの排泄物を受ける。なお、図１の上下方向は重力方向であるとは限らない。
【００２０】
図２は、使い捨ておむつ１を展開した状態で着用者側から見た平面図である。図２に示すように、使い捨ておむつ１は、外装シート４、外装シート４の内面（すなわち、着用者側の面）上に取り付けられて着用者からの排泄物を吸収する略シート状の吸収体２０、および、吸収体２０の長手方向（すなわち、図２中における上下方向）の両端部を覆うように外装シート４上に接合される２つのシート部材５（エンドシートまたはエンド押さえシートとも呼ばれる。）を備える。各シート部材５は、図２の横方向に関して外装シート４の幅のおよそ全体に亘って設けられる。以下、図２の横方向を「おむつの幅方向」と呼ぶ。
【００２１】
使い捨ておむつ１では、図２中の上側の部位が着用者の前側（腹側の肌）を覆い、図２中の下側の部位が着用者の後側（背側の肌）を覆う。以下の説明では、着用者の前側および後側を覆う部位をそれぞれ、「前方部４０１」および「後方部４０３」と呼び、前方部４０１と後方部４０３との間で双方から連続するとともに着用者の股間部に対向する部位を「中間部４０２」と呼ぶ。
【００２２】
使い捨ておむつ１が製造される際には、外装シート４が吸収体２０と共に中間部４０２にて折り曲げられ、中間部４０２を下側に配置した際の前方部４０１の左右両側の端部と、後方部４０３の左右両側の端部とが、加熱および押圧による熱融着により接合される。このように、前方部４０１の両側端と後方部４０３の両側端とをそれぞれ接合することにより、図１に示すように、前方部４０１および後方部４０３の上端に胴部開口１１が形成され、前方部４０１および後方部４０３の下側において中間部４０２の両側方に一対の脚部開口１２が形成される。
【００２３】
図３は、使い捨ておむつ１を図２中に示すＡ−Ａの位置（すなわち、中間部４０２）で切断した断面図である。図３では、図示の都合上、使い捨ておむつ１の構成を互いに離して描いている。
【００２４】
図２および図３に示すように、吸収体２０は、略シート状の本体部２、および、本体部２の両側部上（すなわち、おむつの幅方向の両端部）に配置されて本体部２の長手方向のおよそ全長に亘る一対のサイドシート３を備える。本体部２は、図３に示すように、トップシート２１、バックシート２３、および、トップシート２１とバックシート２３との間に配置された吸収コア２２を備える。図２では、図の理解を容易にするために、吸収コア２２の輪郭を太い破線にて描いている。図２に示すように、吸収コア２２の長手方向の両端部における幅は、吸収コア２２の長手方向の中央部における幅よりも大きい。換言すれば、吸収コア２２は、いわゆる砂時計型である。
【００２５】
また、図３のバックシート２３はホットメルト接着剤等により外装シート４上に接合され、吸収体２０が外装シート４に固定される。図２の使い捨ておむつ１では、吸収体２０は前方部４０１から後方部４０３に亘って配置されており、吸収体２０の各端部は、シート部材５と外装シート４との間に挟まれ、吸収体２０が外装シート４上に強固に固定される。
【００２６】
図３に示すように、各サイドシート３は、長手方向の全長に亘って設けられた折り曲げ線３９を境界として、本体部２側の部位である帯状の接合部３３、および、他方の部位である側壁部３４を備える。接合部３３は、本体部２の側方エッジ近傍において長手方向のおよそ全長に亘って本体部２の上側（すなわち、着用者側）にホットメルト接着剤を用いて接合される。
【００２７】
接合部３３から折り曲げ線３９を介して連続する側壁部３４は、長手方向における両端部において接合部３３上に重ねられ、熱融着接合または超音波接合により接合部３３上に固定される。図２では、図の理解を容易にするために、接合部３３上に固定される側壁部３４の部位３４１に平行斜線を付している。また、側壁部３４は、図２および図３に示すように、長手方向における中央において本体部２から上側へと起立する起立部３４２を備える。図３に示すように、側壁部３４では、起立部３４２の自由端に弾性部材３５が接合されており、弾性部材３５が収縮することにより起立部３４２にギャザーが形成される。
【００２８】
トップシート２１は、透液性のシート材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００２９】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本実施の形態では、吸収コア２２はパルプ繊維およびＳＡＰを含む。
【００３０】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルムが利用され、バックシート２３に到達した排泄物の水分等が、本体部２の外側に染み出すのを防止する。バックシート２３にプラスチックフィルムが利用される場合、使い捨ておむつ１のムレを防止して着用者の快適性を向上するという観点からは、透湿性（通気性）を有するプラスチックフィルムが利用されることが好ましい。
【００３１】
サイドシート３のシート本体としては、疎水性繊維にて形成された撥水性または不透液性の不織布（例えば、スパンボンド不織布やメルトブロー不織布、ＳＭＳ不織布）が利用される。弾性部材３５としては、例えば、ポリウレタン糸、帯状のポリウレタンフィルム、糸状または帯状の天然ゴム等が利用され、本実施の形態では、ポリウレタン糸が弾性部材３５として用いられる。また、シート部材５としては、トップシート２１と同様の素材、または、撥水性もしくは親水処理された不織布（例えば、スパンボンド不織布やメルトブロー不織布、ＳＭＳ不織布）が利用される。
【００３２】
外装シート４は、内側シート４１、および、内側シート４１の下側（すなわち、着用者とは反対側）にて内側シート４１に積層される外側シート４２を備える。内側シート４１と外側シート４２との間には、図２に示すように、複数の脚周り弾性要素４３０、複数の胴周り弾性要素４４０、および、複数の補助弾性要素４５０がホットメルト接着剤等により接合される。
【００３３】
詳細には、それぞれがおむつの幅方向に伸びる複数の胴周り弾性要素４４０が、前方部４０１および後方部４０３上にて、おむつの幅方向に垂直な方向に配列される。実際には、複数の胴周り弾性要素４４０は伸張状態にて外装シート４上に接合され、収縮することにより外装シート４が収縮されて胴部ギャザーが形成される。なお、複数の胴周り弾性要素４４０うち、胴部開口１１（図１参照）の縁近傍に配置される一部の胴周り弾性要素４４０は密に並べられており、これらの胴周り弾性要素４４０により、使い捨ておむつ１が着用者の腰周りにて強くフィットする。
【００３４】
図２の中間部４０２の各側部における前方部４０１側の部位には、３本の脚周り弾性要素４３０が前方弾性部４３１として当該側部の縁に沿って接合される。各脚周り弾性要素４３０の一端は吸収体２０の長手方向の中央近傍にて吸収体２０と重なり（正確には、外装シート４に垂直な方向から見た場合に重なり）、他端は前方部４０１の中間部４０２側の部位にてその側端に位置する。中間部４０２の当該側部における後方部４０３側の部位にも同様に、３本の脚周り弾性要素４３０が後方弾性部４３２として当該側部の縁に沿って接合されており、各脚周り弾性要素４３０の一端は吸収体２０と重なり、他端は後方部４０３の側端に位置する。胴周り弾性要素４４０と同様に、各脚周り弾性要素４３０は伸張状態にて外装シート４上に接合される。
【００３５】
使い捨ておむつ１では、中間部４０２の各側部における前方弾性部４３１および後方弾性部４３２の集合（すなわち、６本の脚周り弾性要素４３０の集合）が脚周り弾性部材４３として機能し、脚周り弾性部材４３が収縮することにより、当該側部における外装シート４が収縮する。このように、中間部４０２の両側端の縁に沿って一対の脚周り弾性部材４３が設けられることにより、一対の脚周りギャザー（レッグギャザー）が形成される。
【００３６】
また、中間部４０２の各側部では、脚周り弾性部材４３の前方部４０１側の部位である前方弾性部４３１と、後方部４０３側の部位である後方弾性部４３２との間に、脚周り弾性部材４３の不存在領域４３９が設けられる。換言すると、前方弾性部４３１と後方弾性部４３２とが、吸収体２０の長手方向に離間して配置される。なお、吸収体２０の長手方向に関して、不存在領域４３９の幅は、中間部４０２の全長の０．１倍以上０．４倍以下であることが好ましい（より好ましくは、０．２倍以上０．３倍以下）。
【００３７】
また、前方部４０１において吸収体２０の各側方には、３本の補助弾性要素４５０が、中間部４０２とは反対側（図２中の上側）に膨らんだ凸状に配置される。各補助弾性要素４５０の一端は吸収体２０の前方部４０１側の端部と重なり、他端は中間部４０２の側端に位置し、当該他端近傍にて補助弾性要素４５０が脚周り弾性要素４３０と交差する。後方部４０３においても同様に、吸収体２０の各側方には、３本の補助弾性要素４５０が、中間部４０２とは反対側（図２中の下側）に膨らんだ凸状に配置される。各補助弾性要素４５０の一端は吸収体２０の後方部４０３側の端部と重なり、他端は中間部４０２の側端に位置し、当該他端近傍にて補助弾性要素４５０が脚周り弾性要素４３０と交差する。実際には、前方部４０１および後方部４０３における複数の（全ての）補助弾性要素４５０は、伸張状態にて外装シート４上に接合されており、前方部４０１および後方部４０３のそれぞれにおいて、吸収体２０の各側方に位置する３本の補助弾性要素４５０の集合が１つの補助弾性部材４５として収縮する。
【００３８】
このように、使い捨ておむつ１の前方部４０１および後方部４０３のそれぞれでは、吸収体２０の両側方の位置において、一対の補助弾性部材４５が伸張状態にて外装シート４に接合され、一対の補助弾性部材４５の収縮により外装シート４の対応する部位が収縮する。これにより、前方部４０１の両側端を後方部４０３の両側端にそれぞれ接合した状態の使い捨ておむつ１（図１参照）では、吸収体２０の端部近傍から使い捨ておむつ１の上端側、かつ、おむつの幅方向外側（吸収体２０から離れる方向）に向かって伸びる補助弾性部材４５の部位（図２中にて符号４５１を付す部位であり、以下、「第１傾斜部位４５１」という。）により、吸収体２０の端部が上端側に引き上げられる。また、中間部４０２の側端から上端側、かつ、おむつの幅方向内側（吸収体２０に近づく方向）に向かって伸びる補助弾性部材４５の部位（図２中にて符号４５２を付す部位であり、以下、「第２傾斜部位４５２」という。）により、脚周りギャザー（の前方部４０１または後方部４０３近傍の部位）が、上端側に引き上げられる。
【００３９】
吸収体２０の前方部４０１側の端部における両側方において、一対の補助弾性部材４５、一対の前方弾性部４３１および吸収体２０により囲まれる外装シート４の内面の領域（図２中にて符号４７を付す領域）には、一対の補助弾性部材４５および一対の前方弾性部４３１の収縮により、着用者とは反対側に窪む一対のポケット部（以下、領域４７と同様に符号４７を付す。）が形成される。吸収体２０の後方部４０３側の端部における両側方にも同様に、一対の補助弾性部材４５、一対の後方弾性部４３２および吸収体２０により囲まれる外装シート４の内面の領域に一対のポケット部４７が形成される。
【００４０】
図２に示すように、外装シート４上には、おむつの幅方向に伸びるシート状の２つの吸収性部材６が、吸収体２０の両端部とそれぞれ重なるように設けられる。各吸収性部材６はホットメルト接着剤等により外装シート４上に接合されて固定される。実際には、吸収性部材６の中央部（おむつの幅方向の中央部）は、吸収体２０の端部と外装シート４との間に配置されて両者に接合されており、吸収性部材６が外装シート４上に強固に固定される。また、吸収性部材６の両端部６１は吸収体２０の両側方に突出しており、補助弾性部材４５と脚周り弾性部材４３との交差位置と、吸収体２０の側端との間に位置する。これにより、吸収性部材６の両端部６１は、一対のポケット部４７内に配置される。使い捨ておむつ１では、排泄物が吸収体２０から漏出した場合でも、当該排泄物がポケット部４７にて捕捉されるとともに、その水分が吸収性部材６の端部６１により吸収される。このように、吸収性部材６の両端部６１は、二次的に排泄物を吸収する一対の補助吸収部（以下、端部６１と同様に符号６１を付す。）となっている。なお、吸収体２０では、接合部３３上に固定される側壁部３４の部位３４１から排泄物が漏出する可能性が高いが、使い捨ておむつ１では、当該部位３４１の側方にポケット部４７が配置され、当該部位３４１から漏出する排泄物の捕捉が可能となっている。
【００４１】
図３の外装シート４の内側シート４１および外側シート４２としては、バックシート２３と同様に、疎水性繊維にて形成された撥水性または不透液性の不織布やプラスチックフィルムが利用され、あるいは、これらの不織布とプラスチックフィルムとが積層された積層シートが利用される。プラスチックフィルムとしては、透湿性（通気性）を有するものが好ましい。また、内側シート４１または外側シート４２として、トップシート２１と同様に、親水性繊維により形成された不織布や親水処理した疎水性繊維にて形成された透液性の不織布が利用されてもよい。
【００４２】
脚周り弾性要素４３０、胴周り弾性要素４４０および補助弾性要素４５０としては、サイドシート３の弾性部材３５と同様に、例えば、ポリウレタン糸、帯状のポリウレタンフィルム、糸状または帯状の天然ゴム等が利用され、本実施の形態では、ポリウレタン糸が脚周り弾性要素４３０、胴周り弾性要素４４０および補助弾性要素４５０として利用される。なお、脚周り弾性部材４３および補助弾性部材４５を構成する弾性要素の個数は任意に変更されてよく、１つの弾性要素により、各弾性部材が構成されてもよい。
【００４３】
吸収性部材６としては、例えば、親水性繊維により形成された不織布や、高吸収性ポリマー（ＳＡＰ）や高吸収性ファイバー等の高吸収性材料を不織布間に挟んで、両者を熱圧着したものが用いられる。
【００４４】
図１に示す使い捨ておむつ１が着用される際には、着用者の両脚が胴部開口１１を介して一対の脚部開口１２に挿入された後、使い捨ておむつ１が着用者の腰周りまで引き上げられる。このとき、図２の補助弾性部材４５の第１傾斜部位４５１により、吸収体２０の各端部が上方（着用者の頭部側）に引き上げられ、吸収体２０が着用者の股間部に密着する。また、補助弾性部材４５の第２傾斜部位４５２により、脚周りギャザーが上方に引き上げられ、脚周りギャザーが着用者の鼠径部に密着する。
【００４５】
以上に説明したように、図２の使い捨ておむつ１では、中間部４０２の前方部４０１側および後方部４０３側のそれぞれの部位において、中間部４０２の両側端から吸収体２０側かつ使い捨ておむつ１の上端側に向かうように、一対の補助弾性部材４５が外装シート４上に伸張状態にて接合される。これにより、吸収体２０の両側方において、一対の補助弾性部材４５、一対の脚周り弾性部材４３および吸収体２０により囲まれる外装シート４の内面の領域に一対のポケット部４７が形成される。その結果、使い捨ておむつ１では、排泄物が吸収体２０から漏出した場合でも、当該排泄物がポケット部４７にて捕捉され、脚周りから外部に漏出することを防止することができる。また、一対のポケット部４７内に一対の補助吸収部６１が配置されることにより、当該排泄物が補助吸収部６１により吸収され、脚周りから外部に漏出することをさらに防止することができる。
【００４６】
使い捨ておむつ１では、中間部４０２の各側部において、脚周り弾性部材４３の前方弾性部４３１と後方弾性部４３２との間に脚周り弾性部材４３の不存在領域４３９が設けられることにより、補助弾性部材４５および脚周り弾性部材４３の収縮により形成されるポケット部４７の配置を、吸収体２０の両端部（すなわち、前方部４０１側および後方部４０３側の端部）の側方近傍に制限することができる。これにより、吸収体２０の中央部の側方近傍にもポケット部の一部が形成されることを防止して、軟便等の排泄物がポケット部にて捕捉された状態で、ポケット部の存在により着用者の歩行動作が過度に妨げられることを防止することができる。
【００４７】
また、図２の使い捨ておむつ１では、前方部４０１および後方部４０３における吸収体２０の各側方の位置において、補助弾性部材４５が、使い捨ておむつ１の上端側（すなわち、長手方向における外装シート４の両端部側）に凸となるように湾曲して伸張状態にて外装シート４上に接合される。これにより、装着時に補助弾性部材４５により吸収体２０の両端部を上端側に引き上げて、吸収体２０を着用者の股間部に容易に密着させることができ、排泄物を吸収体２０にて適切に吸収することが可能となる。また、補助弾性部材４５により脚周りギャザーも上端側に引き上げて、脚周りギャザーを着用者の鼠径部に容易に密着させることができ、吸収体２０に吸収されなかった排泄物が脚周りから外部に漏出するのを抑制することが可能となる。その結果、ポケット部４７による排泄物の捕捉と相まって、排泄物が脚周りから外部に漏出することをさらに防止することが実現される。
【００４８】
さらに、前方部４０１および後方部４０３のそれぞれにおいて、一対の補助弾性部材４５により、吸収体２０の端部および脚周りギャザーの引き上げが実現されるため、吸収体２０の端部を上端側に引き上げる弾性部材と、脚周りギャザーを上端側に引き上げる弾性部材とを個別に設ける場合に比べて、使い捨ておむつの製造コストを削減することができる。
【００４９】
以上、本発明の実施の形態について説明してきたが、本発明は上記実施の形態に限定されるものではなく、様々な変形が可能である。
【００５０】
図２の使い捨ておむつ１では、上端側に凸となるように湾曲した補助弾性部材４５が設けられることにより、補助弾性部材４５、脚周り弾性部材４３および吸収体２０により囲まれる外装シート４の内面の領域を広くして、大きなポケット部４７を形成することが可能となるが、使い捨ておむつの設計によっては、図４に示す使い捨ておむつ１ａのように、中間部４０２の側端から上端側、かつ、おむつの幅方向内側（吸収体２０に近づく方向）に向かって伸びる部位（図２の第２傾斜部位４５２に対応する部位）のみを有する補助弾性部材４５ａ（の補助弾性要素４５０ａ）が設けられてもよい。
【００５１】
使い捨ておむつ１，１ａでは、中間部４０２の前方部４０１側および後方部４０３側の部位の一方のみに一対の補助弾性部材４５，４５ａおよび吸収性部材６が設けられてもよく、この場合でも、吸収体２０から漏出した排泄物が脚周りから外部に漏出することをある程度防止することができる。通常、吸収体から漏出した排泄物は脚周りの後方部側から漏出することが多いため、中間部４０２の前方部４０１側および後方部４０３側の部位の一方のみに一対の補助弾性部材４５，４５ａおよび吸収性部材６を設ける場合、一対の補助弾性部材４５，４５ａおよび吸収性部材６は中間部４０２の後方部４０３側の部位に設けられることが好ましい。
【００５２】
一方、排泄物が脚周りから外部に漏出することをさらに防止するには、図２および図４のように、同様の二対の補助弾性部材が、中間部４０２の前方部４０１側および後方部４０３側の部位にそれぞれ設けられることが好ましい。この場合、既述のように、吸収体２０の前方部４０１側の部位の両側方に一対のポケット部４７が形成され、吸収体２０の後方部４０３側の部位の両側方に他の一対のポケット部４７が形成され、同様の二対の補助吸収部６１（ただし、ポケット部４７の大きさに合わせて形状が僅かに相違している。）が、当該一対のポケット部４７内と当該他の一対のポケット部４７内とに配置される。
【００５３】
また、使い捨ておむつ１，１ａでは、吸収性部材６の両端部が一対の補助吸収部６１とされることにより、使い捨ておむつの部品点数を少なくすることが可能となるが、折り畳まれた状態の使い捨ておむつが嵩高になるのを防止する際には、互いに孤立した一対の補助吸収部（すなわち、吸収性部材６において吸収体２０と重なる部分が省略されたもの）が一対のポケット部４７内にそれぞれ設けられてもよい。
【００５４】
使い捨ておむつの一の製造手法では、連続するポリウレタン糸を外装シート上に接合した後、外装シートと共にポリウレタン糸が切断されて弾性要素が形成されるため、外装シートに微小な孔が形成されることがある。したがって、上記製造手法によって使い捨ておむつが製造される場合には、図２および図４に示すように、脚周り弾性部材４３および補助弾性部材４５，４５ａのそれぞれにおける吸収体２０側の端部（弾性要素の一端であり、切断位置でもある。）が吸収体２０と重なって、外装シートの上記孔が吸収体２０により覆われることが好ましい。他の製造手法により使い捨ておむつが製造される場合や、外装シートの上記孔が問題とはならない場合には、脚周り弾性部材４３および補助弾性部材４５，４５ａの吸収体２０側の端部は、必ずしも吸収体２０と重なる必要はない（後述の図５の補助弾性部材４５ｂ参照）。ただし、補助弾性部材４５，４５ａの吸収体２０側の端部は吸収体２０の近傍に設けられることが好ましい。
【００５５】
また、補助弾性部材４５，４５ａ、脚周り弾性部材４３および吸収体２０により囲まれる外装シート４の内面の領域にポケット部４７が形成されるのであるならば、補助弾性部材４５，４５ａは必ずしも脚周り弾性部材４３と接する必要はなく、図５に示すように、補助弾性部材４５ｂ（の補助弾性要素４５０ｂ）の脚周り弾性部材４３側の端部が、中間部４０２の側端から僅かに離れた位置（すなわち、側端近傍）に配置され、補助弾性部材４５ｂと脚周り弾性部材４３とが非接触とされてもよい。このように、使い捨ておむつ１，１ａ，１ｂでは、補助弾性部材４５，４５ａ，４５ｂ、当該補助弾性部材４５，４５ａ，４５ｂと近接または接する脚周り弾性部材４３の前方弾性部４３１または後方弾性部４３２、および、吸収体２０によりおよそ囲まれる外装シート４の内面の領域に、ポケット部４７が形成される。なお、図５の使い捨ておむつ１ｂにおいても、補助弾性部材４５ｂが中間部４０２の側端から吸収体２０側、かつ、使い捨ておむつ１ｂの上端側に向かうように配置されていると捉えられる。
【００５６】
使い捨ておむつの設計によっては、脚周り弾性部材４３の前方弾性部４３１と後方弾性部４３２とがおよそ連結した状態とされ、脚周り弾性部材４３の不存在領域４３９が省略されてもよい。また、補助吸収部６１が省略され、ポケット部４７の存在のみにより、吸収体２０から漏出した排泄物が、脚周りから外部に漏出することが防止されてもよい。
【００５７】
上記実施の形態および各変形例における構成は、相互に矛盾しない限り適宜組み合わせられてよい。
【符号の説明】
【００５８】
１，１ａ，１ｂ    使い捨ておむつ
４    外装シート
６    吸収性部材
１１    胴部開口
１２    脚部開口
２０    吸収体
４３    脚周り弾性部材
４５，４５ａ，４５ｂ    補助弾性部材
４７    ポケット部
６１    補助吸収部
４０１    前方部
４０２    中間部
４０３    後方部
４３１    前方弾性部
４３２    後方弾性部
４３９    （脚周り弾性部材の）不存在領域
【図１】
0005524722.tif 000002
【図２】
0005524722.tif 000003
【図３】
0005524722.tif 000004
【図４】
0005524722.tif 000005
【図５】
0005524722.tif 000006